(57)【特許請求の範囲】
【請求項１】
靴本体の胛被表面をループ状のパイル地とし、その裏面にウレタンフォームを積層し形成した胛被に、裏面に多数のフックを具備した緊締片を着脱自在にすると共に、該緊締片が靴の履口前方の切欠き部を覆うような広さとしその外形を略Ｄ字形状とすると共に、その外周より突出させて摘み部を形成し、靴の履口前方の切欠き部に重合し胛被と同じ素材とする覆い片を備えた靴であって、該胛被にはその覆い片の配設位置を覆い片の外周を形とった縫線で示す目印を付し、さらには該緊締片が帯状からなる伸縮性の素材であって、その両端の裏面に多数のフックを具備したバンド片を備え、該バンド片を足に当接しながら履口部を横架して履口両側の任意の箇所に装着可能としたことを特徴とするリハビリテーション用靴。
【発明の詳細な説明】
【０００１】
【産業上の利用分野】
本発明は、着脱が容易な履物に係るものであって、特に高齢者又は手足の不自由な者又はこれらの介護者が容易に履脱できるリハビリテーション用靴に関するものである。
【０００２】
【従来の技術】
従来、着脱が容易な靴として、特開平１０−１２７３０９号に、靴本体の甲切欠部の左右甲片と、該甲切欠部を覆うと共に左右甲片に重合し履物の先端側に取り付けられた被覆甲板と、上記左右甲片と被覆甲板との重合部に着脱可能な面ファスナーとを備えた靴、また実開平４−３４９０６号に、靴の表面をパイル地で形成し、甲部分と腰部分の双方を開閉自在とし、分離させた甲部分の一方の甲片表面には、多数のフックが突出するテープ地が定着してあり、テープ地と他方の甲片裏面のパイル地とで着脱自在とするとともに、腰部分はファスナーによって開閉され、さらに甲部分にはその上面を覆う覆い片が配設されており、この覆い片は裏面にテープ地が装着され甲部分に着脱自在であって、前端部のみが靴の爪先部分に固定されている靴が開示されている。
【０００３】
しかしながら、前記特開平１０−１２７３０９号の靴は、甲部分の覆い片がその前端部を支点として開閉自在な構造であるので、足の挿入の動作が容易であるが、甲切欠部が幅広く形成されているので、左右甲片と被覆甲板との着脱可能な面ファスナーの重合面積が減少し、これによって面ファスナーの係止力が弱くなり、歩行中に覆い片が外れたりして危険を招く恐れがある。また左右甲片に被覆甲板がずれて装着された時や覆い片を開放した時に、甲片に面ファスナーを定着していることが外部より見えてしまい、外観デザインを損ねて好ましくなかった。
【０００４】
また実開平４−３４９０６号の靴は、甲部分と腰部分とを面ファスナーを使用して開閉自在な構造であるので、通常の靴より履口部を大きく広げることができ、脱着の動作が容易であるが、矯正用装具を足に装着して靴を履いた場合では、装具の分だけ足囲が大きくなってしまうので、前者の靴同様に覆い片の前端部が胛被の爪先部分に固定されている為、足の曲面に馴染ませて装着できず、歩行に支障をきたしていた。さらに、これら従来の靴は覆い片が他の覆い片と交換ができず、デザイン的に変化がないために固定的であった。
【０００５】
【発明が解決しようとする課題】
この発明は、上記のような問題点を解決したものであって、足に装具等の装着した時でも足にフィットし歩行に支障をきたすことなく、簡単に着脱の動作ができ、しかも外観デザインに優れたリハビリテーション用靴を提供することを目的とするものである。
【０００６】
【課題を解決するための手段】
本発明は靴本体の胛被表面をループ状のパイル地とし、その裏面にウレタンフォームを積層し形成した胛被に、裏面に多数のフックを具備した緊締片を着脱自在にすると共に、該緊締片が靴の履口前方の切欠き部を覆うような広さとしその外形を略Ｄ字形状とすると共に、その外周より突出させて摘み部を形成し、靴の履口前方の切欠き部に重合し胛被と同じ素材とする覆い片を備えた靴であって、該胛被にはその覆い片の配設位置を覆い片の外周を形とった縫線で示す目印を付し、さらには該緊締片が帯状からなる伸縮性の素材であって、その両端の裏面に多数のフックを具備したバンド片を備え、該バンド片を足に当接しながら履口部を横架して履口両側の任意の箇所に装着可能としたことを特徴とするリハビリテーション用靴を請求項１発明の要旨とするものである。
【０００７】
【作用】
本発明のリハビリテーション用靴は、胛被表面をループ状のパイル地で形成した胛被と、裏面に複数のフックを具備した緊締片から構成されるので、胛被全面の任意個所に着脱自在に簡単に装着でき、また他の緊締片との交換が可能となる。また、装具を足に装着して靴を履いた場合では、緊締片の配設位置を長手方向にずらし装着することによって足囲の大きさを調整でき、足の曲面に対応し馴染ませることができる。そして、本発明は緊締片を交換する場合、胛被に付された目印に合わせて止着すれば、正確に配設できる。
【０００８】
【実施例】
以下、本発明の実施例を図面に基づいて説明する。第１図は本発明に係るリハビリテーション用靴の緊締片の片側を開放した状態を示す斜視図である。第２図は靴本体と緊締片である覆い片とバンド片とを分離した状態を示す斜視図である。第３図は覆い片とバンド片の裏面図である。図中の１は靴本体、２は胛被、３は緊締片、３１はバンド片、３２は覆い片、４は摘み部、５は切欠き部、６は目印、７は履口部、８はフック状の面ファスナーである。
【０００９】
本発明のリハビリテーション用靴は、靴本体１の胛被表面を小さなループを密生するパイル地とし、その裏面にウレタンフォームを積層した胛被素材を使用しておけば、該胛被素材が柔軟で足を締め付けられることがなく、かつ保温性を持たせることができるので、特に老人に最適である。また本発明のリハビリテーション用靴は、裏面にフック状の面ファスナーを縫着した緊締片が準備され、胛被の任意個所に着脱自在に装着できるよう構成される。
【００１０】
緊締片３は、胛被２と別体としたものであればよく、例えば履口部７を横架して装着されるバンド片３１であっても良いし、胛被の切欠き部５を重合する覆い片３２であっても良い。
【００１１】
緊締片３をバンド片３１とする場合は、外形形状を帯状とし、その両端の裏面にフック状の面ファスナー８．８が設けられ、バンド片３１の中央部を足の甲又は踵に当接し、面ファスナー８．８を胛被の履口両側部のパイル地に係止して、足を靴に固定するのに使用される。バンド片３１は、胛被と同じ素材を使用してもいいし、伸縮性の素材例えばゴム糸を織り込み伸縮性の生地であるゴムバンドなどを用いてもよい。
【００１２】
また、緊締片３を覆い片３２とする場合は、外形形状を履口部７の前方に形成された切欠き部５を覆うような略Ｄ字形状とし、裏面にはフック状の面ファスナー８が設けられ、胛被甲部のパイル地に係止し重合して装着される。覆い片３２は、その上端部を折り返して縫着形成した筒部に、両端裏面にフック状の面ファスナー８．８を設けたバンドを挿入し、その両端を覆い片３２の両側より突出させて摘み部４、４を形成しておけば、利き手でいずれか片方の摘み部４を引き上げることにより脱着の動作ができるので便利である。また覆い片３２は、胛被と同じ素材が使用され、表側に飾り紐を設けたり刺繍を施したりしてデザインを変えたものを準備しておけば、交換することによって靴に変化を与えることができる。そして胛被２に付される目印６は、履口部７前方の切欠き部５の配設位置に覆い片３２の外周を形どった形状の縫線によって設けられる。
【００１３】
さらに、靴本体１の踵後方部に、反射テープ等の反射材を設けておけば、これによって夜間において運転者は自動車のライトが反射して歩行者の存在に早めに気付き、事故発生を未然に防止できる。
【００１４】
次に本発明のリハビリテーション用靴の使用方法について説明する。まず、通常靴を履くときは、履口前方の切欠き部両側の胛被を開き、足を靴中に挿入し、次に覆い片３２を配設位置を示した目印６に沿って胛被２に押し付け、パイル地とフック状の面ファスナーを係止させて装着する。バンド片３１は、その中央部を足の甲部又は踵部に当て、その両端を履き口に装着して用いるが、覆い片３２と併用してもいいし、単独で用いてもよい。また、矯正用装具を足に取り付けて靴を履くときは、覆い片３２を通常の位置より後方に位置を変えることによって足囲を大きくでき、また足の曲面に対応し馴染ませて装着される。そして、覆い片３２やバンド片３１は、胛被２のどこでも係止可能なので無理な体勢をとることなく胛被の任意個所に装着できる。
【００１５】
一方靴を脱ぐときは、覆い片３２の摘み部４及びバンド片３１の片側を引き上げて係止されたパイル地とフック状の面ファスナーを離脱させて行う。２回目以降靴を履脱する場合は、覆い片３２やバンド片３１を取り外さなくとも、片側を半開することで行うことこともできる。そして、覆い片３２を交換する際には、胛被に表された目印６に合わせて面ファスナーを係止すれば、正確に配設される。
【００１６】
【発明の効果】
以上説明したように本発明のリハビリテーション用靴は、靴本体の胛被表面をループ状のパイル地とし、その裏面にウレタンフォームを積層し形成した胛被に、裏面に多数のフックを具備した緊締片を該胛被表面に着脱自在にしたので、胛被素材が柔軟であるため足への締め付けを和らげ、かつ緊締片とした覆い片をその切欠き部を覆う広さとしかつ略Ｄ字形状とすると共に前記胛被と同じ素材（積層構造）にしたので胛被を一部切欠いた甲部においても保温性が保持され、また胛被のどこでも緊締片を装着でき、これによって無理な体勢をとらずに手足が不自由な身障者でも容易に着脱できる。しかも、本発明は緊締片のフック状の面ファスナー全面が胛被のパイル地に係止されるので、緊締片がずれて重合しても緊締片と胛被との係止力が弱まることない。そして、本発明のリハビリテーション用靴は、足に装具等を装着しても、覆い片の装着位置を後方に変えることによって足囲を大きくでき、足の曲面に対応し馴染ませて足当りが調整でき、足にフィットさせることができる。
さらに、本発明は覆い片の配設位置を靴の履口前方を切欠いた胛被に覆い片の外周を形とった縫線で目印を付したことで覆い片を縫線に沿わせて所定位置に正確かつ容易に装着でき、また他の緊締片と取り変えできるので靴を多様に変化させることができる。また、覆い片は外周から突出させて形成した摘み部を引き上げることで、胛被からの脱着が容易にできる。しかも本発明は従来の靴にみられた胛被表面に面ファスナーが定着されていないので、外観デザインが向上するものとなった。
そして、本発明は伸縮性の素材のバンド片も備えているので、足に当接し履口部の両側に横架して胛被の任意箇所に係止して履口部の締め付けを調節しながら使用できるため、足に装具等を装着しても適宜な緊締力で靴を着用できると共に、胛被がその裏面にウレタンフォームを積層した柔軟な素材であるので、足がバンド片で締付けられることなく、保温性も保持される。
【図面の簡単な説明】
【図１】本発明の実施例に係るリハビリテーション用靴の緊締片の片側を開放した状態を示す斜視図である。
【図２】本発明の実施例の靴本体から覆い片とバンド片とを分離した状態を示す斜視図である。
【図３】本発明の実施例の覆い片及びバンド片の裏面図である。
【符号の説明】
１ 靴本体
２ 胛被
３ 緊締片 ３１ バンド 片 ３２ 覆い片
４ 摘み部
５ 切欠き部
６ 目印
７ 履口部
８ フック状の面ファスナー
【図１】
0004475551.tif 000002
【図２】
0004475551.tif 000003
【図３】
0004475551.tif 000004